(57)【要約】      （修正有）【課題】金属製の螺旋状線材に存するエネルギーによって、例えば巻回装着する被巻回物に存する邪気を除去、祓うことができ、健全な状態で使用できるようにする邪気祓い具を提供する。【解決手段】邪気祓い具１は、金属線材を螺旋状に巻回して成り、金属線材には、被覆層をコーティングする。金属線材は、断面が円形状で、単位をｍｍとする所定径例えば３あるいは９の倍数となる直径を有する銅線とし、被覆層は、緑色に形成する。また、金属線材の螺旋状態は、北半球では反時計方向とし、南半球では時計方向として構成する。被巻回物に対して７回くらいで巻回使用するのが適当である。【選択図】図１
0003229859.tif 000002
【実用新案登録請求の範囲】
【請求項１】
金属線材を螺旋状に巻回して成ることを特徴とする邪気祓い具。
【請求項２】
金属線材には、被覆層をコーティングして成る請求項１に記載の邪気祓い具。
【請求項３】
金属線材は、３あるいは９の倍数となる直径を有する銅線としてある請求項１または２に記載の邪気祓い具。
【請求項４】
被覆層は、緑色に形成して成る請求項１乃至３のいずれかに記載の邪気祓い具。
【請求項５】
金属線材の螺旋状態は、北半球では反時計方向とし、南半球では時計方向としてある請求項１乃至４のいずれかに記載の邪気祓い具。
【考案の詳細な説明】
【技術分野】
【０００１】
この考案は、様々な物品に存するとされて人体等に悪影響を与えるとされる邪気を除去し、健全な状態を保持できるようにする邪気祓い具に関する。
【背景技術】
【０００２】
従来から、万物、万品等の様々な物品には克気があり、また悪影響を与える邪気が存すると考えられており、それが劣っているものは優れたものに影響され、競り負けることで邪気を受けることになるとされる。こうした邪気を祓うために、従来、例えば特許文献１に示される芳香しめ飾り、特許文献２に示される方位磁石付き方位鑑定盤、特許文献３に示される気整流器等が提案されている。
【０００３】
特許文献１の芳香しめ飾りは、しめ飾り本体の要所に香り袋のような芳香グッズを取り付けるものとする。特許文献２の方位鑑定盤は、鬼門、邪気除けの方位が示された円形の方位鑑定図面に方位磁石を設け、その邪気除け等の方位が存在することが好ましい間取りを表示するようにして成る。特許文献３の気整流器は、四角錘の内部にまで貫通する複数個の細孔を設けて成るとする。
【先行技術文献】
【特許文献】
【０００４】
【特許文献１】登録実用新案第３０８８９７０号公報
【特許文献２】登録実用新案第３１６３６７９号公報
【特許文献３】特開昭６３−１１１８８３号公報
【考案の概要】
【考案が解決しようとする課題】
【０００５】
ところがこれらの特許文献１の芳香しめ飾りでは、芳香グッズから生じる香りによって安らぎを得て邪気祓いの気持ちを高揚させるとしても、物質が持つとされる気エネルギーを考慮したものではない。特許文献２の方位鑑定盤では、例えばマンション、家屋、部屋等の間取りを検討する際の方位鑑定を行うにすぎず、人体に悪影響を与えるとされる邪気そのものを祓うものではない。特許文献３の気整流器では、いわゆるピラミッドパワー、ヒランシャパワー等に比較して気の流れに方向性を与え、気の集中・拡散・注入機能、気・邪気の除去機能があるとするも、様々な物品そのものに存する邪気を祓うようにはできない。
【０００６】
そこでこの考案は叙上のような従来存した諸事情に鑑み案出されたもので、金属製の螺旋状線材に存するエネルギーによって、例えば巻回される被巻回物に存する邪気を除去、祓うことができるように改善し、ほぼ健全な状態に近づけて使用できるようにし、また例えば南北の半球において地域的に異なる気流に対応して使い分けできるようにした邪気祓い具を提供することにある。
【課題を解決するための手段】
【０００７】
上述した課題を解決するため、この考案にあっては、金属線材２を螺旋状に巻回して成ることを特徴とする。
金属線材２には、被覆層３をコーティングして構成することができる。
金属線材２は、３あるいは９の倍数となる直径を有する銅線として、例えば０．９ｍｍ径の、または０．３ｍｍ径、１．２ｍｍ径として構成することができる。
被覆層３は、緑色に形成して構成することができる。
金属線材２の螺旋状態は、北半球では反時計方向とし、南半球では時計方向として構成することができる。
【０００８】
以上のように構成されたこの考案に係る邪気祓い具にあって、所定径の銅線の如き金属線材２の螺旋状の巻回構成は、これが巻回される被巻回物、例えばケーブルＣ中に存する邪気を祓い、改善させ、ほぼ健全な状態に近づけて使用させる。
螺旋状であることで被巻回物に螺旋形態で簡単に装着させ、被巻回物の周囲から邪気を効率的に祓わせる。
金属線材２は銅線とすることで、電導率が高くなり、電気的効力を一層強くさせる。
被覆層３は、放出作用を円滑にさせ、緑色であることでその効力を一層増大させる。
また、時計方向あるいは反時計方向の螺旋状態によって、北半球あるいは南半球での適切な使用を可能にさせる。
【考案の効果】
【０００９】
この考案は以上説明したように構成されているため、螺旋状に巻回された銅線の如き金属線材２に存するエネルギーによって、例えば巻回される被巻回物に存する邪気を除去、祓うことができ、例えばケーブルＣである被巻回物を健全な状態で使用させることができる。しかも、気流方向が異なる北半球、南半球それぞれで使用するに際し、それらに対応する時計方向（右回り）あるいは反時計方向（左回り）の異なる螺旋形態によって効率的な邪気祓いに大きく役立つのである。
【００１０】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１１】
【図１】この考案を実施するための一形態を示す原理図であって、その（Ａ）は北半球において使用されるときの螺旋方向を示し、（Ｂ）は南半球において使用されるときの螺旋方向を示す。
【図２】同じく断面図である。
【図３】同じく例えばケーブルに巻回使用した場合の斜視図であり、その（Ａ）は北半球、（Ｂ）は南半球それぞれにおいての使用例である。
【考案を実施するための形態】
【００１２】
以下、図面を参照してこの考案を実施するための一形態を説明すると、図において示される符号１はこの考案に係る祓い具であり、この祓い具１は例えば所定径の銅線の如き金属線材２を薄膜状の被覆層３によってコーティングし、螺旋状に巻回して成る。
【００１３】
本考案者による実験結果によれば、コーティングしない銅線に比し、コーティングした銅線が、電磁力が強く、エネルギーの放出作用も大きいことから、より一層の電気効力（電位差、電磁力の効力）が得られると考えられる。また、その径は奇数、更には３あるいは９の倍数であることが良く、例えば０．９ｍｍ、または０．３ｍｍ、１．２ｍｍとして形成することが好ましく、被巻回物に対して7回ぐらい、あるいは７の倍数で巻回使用するのが適当であった。
【００１４】
また、被覆層３は緑色とすることがよく、緑色、この緑色に色相が近い黄色、青色以外の光を通しにくく、反射吸収し、赤外線、紫外線等はある程度、通過させないと考えられる。緑色は、人間の目に対し大きな刺激を与えず、リラックス効果・作用が得られることが経験上判明している。なお、白色はほぼ反射し、黒色はほぼ吸収されるものである。
【００１５】
一般的にエネルギーは、螺旋状で回転特性があるから、エネルギーを集める螺旋方向と、逆に放出する螺旋方向とがあることが本考案者の実験で判明した。
【００１６】
そこで、北半球では、気流の方向から見ても、反時計回り（左回り）の螺旋回転、すなわち反時計方向に螺旋巻回することによってエネルギーの放出方向と一致し、力が留まらずに放出されることになる。このことから、邪気を祓うにも、図１（Ａ）に示されるように、祓い具１自体は、反時計方向に沿った左回りの螺旋状態にして構成する。なお、北半球では、逆の時計回りの螺旋回転では、力が留まり、力が入るから、邪気等を放出できなくなる。
【００１７】
逆に南半球では、気流の方向から見ても、時計回り（右回り）の螺旋回転、すなわち時計方向に螺旋巻回することによってエネルギーの放出方向と一致し、力が留まらずに放出されることになる。このことから、邪気を祓うにも、図１（Ｂ）に示されるように、祓い具１自体は、時計方向に沿った右回りの螺旋状態にして構成する。なお、南半球では、逆の反時計回りの螺旋回転では、力が留まり、力が入るから、邪気等を放出できなくなる。
【００１８】
次にこれの使用の一例を示すと、図３に示すように、例えばコンセント付きケーブルＣに巻回装着するのであり、北半球では反時計回りの螺旋状態で巻回し（図３（Ａ）参照）、南半球では時計回りの螺旋状態で巻回する（図３（Ｂ）参照）。なお、被巻回物（Ｃ）に対してこの考案祓い具１を例えば接着剤等によって固定しておくこともと可能である。
【００１９】
こうすることで、ケーブルＣに存する邪気を祓うことができ、電気エネルギーをほぼ健全な状態で使用することができる。
【符号の説明】
【００２０】
Ｃ…ケーブル
１…祓い具
２…金属線材
３…被覆層
【図１】
0003229859.tif 000003
【図２】
0003229859.tif 000004
【図３】
0003229859.tif 000005
【手続補正書】
【提出日】令和2年10月7日(2020.10.7)
【手続補正１】
【補正対象書類名】実用新案登録請求の範囲
【補正対象項目名】全文
【補正方法】変更
【補正の内容】
【実用新案登録請求の範囲】
【請求項１】
金属線材を螺旋状に巻回して成ることを特徴とする邪気祓い具。
【請求項２】
金属線材には、被覆層をコーティングして成る請求項１に記載の邪気祓い具。
【請求項３】
金属線材は断面が円形状で、単位をｍｍとする３あるいは９の倍数となる直径を有する銅線としてある請求項１または２に記載の邪気祓い具。
【請求項４】
被覆層は、緑色に形成して成る請求項２に記載の邪気祓い具。
【請求項５】
金属線材の螺旋状態は、北半球では反時計方向とし、南半球では時計方向としてある請求項１乃至４のいずれかに記載の邪気祓い具。
【手続補正２】
【補正対象書類名】明細書
【補正対象項目名】０００７
【補正方法】変更
【補正の内容】
【０００７】
上述した課題を解決するため、この考案にあっては、金属線材２を螺旋状に巻回して成ることを特徴とする。
金属線材２には、被覆層３をコーティングして構成することができる。
金属線材２は断面が円形状で、単位をｍｍとする３あるいは９の倍数となる直径を有する銅線として、例えば０．９ｍｍ径の、または０．３ｍｍ径、１．２ｍｍ径として構成することができる。
被覆層３は、緑色に形成して構成することができる。
金属線材２の螺旋状態は、北半球では反時計方向とし、南半球では時計方向として構成することができる。
【手続補正３】
【補正対象書類名】明細書
【補正対象項目名】００１３
【補正方法】変更
【補正の内容】
【００１３】
本考案者による実験結果によれば、コーティングしない銅線に比し、コーティングした銅線が、電磁力が強く、エネルギーの放出作用も大きいことから、より一層の電気効力（電位差、電磁力の効力）が得られると考えられる。また、金属線材２は断面が円形状で、その径は単位をｍｍとする奇数、更には３あるいは９の倍数であることが良く、例えば０．９ｍｍ、または０．３ｍｍ、１．２ｍｍとして形成することが好ましく、被巻回物に対して7回ぐらい、あるいは７の倍数で巻回使用するのが適当であった。